(57)【要約】【課題】電子画像表示と印刷等による固定表示との一体感を高めた表示装置を提供する。【解決手段】表示装置１は、図柄、文字、記号の少なくとも１つを含む表示内容が固定された固定表示を含む固定表示部２０と、固定表示部２０の一部に配置されており、表示内容を変更可能であって、外来光を反射することにより視認可能な表示を行なう反射型表示部１１とを備える。反射型表示部１１としては、電子ペーパーを利用することにより、固定表示部との一体感を高めることができる。【選択図】図１
2020098222.tif 000002
【特許請求の範囲】
【請求項１】
表示内容が固定された固定表示を含む固定表示部と、
前記固定表示部の一部に配置されており、表示内容を変更可能であって、可視光を反射することにより視認可能な表示を行なう反射型表示部と、
を備える表示装置。
【請求項２】
請求項１に記載の表示装置において、
前記反射型表示部は、通電されていない状態で表示を継続できるメモリー性を備えていること、
を特徴とする表示装置。
【請求項３】
請求項１又は請求項２に記載の表示装置において、
前記固定表示部の一部を開口した開口部を有し、
前記反射型表示部は、前記固定表示部の前記開口部と重なる位置に配置されること、
を特徴とする表示装置。
【請求項４】
請求項１から請求項３までのいずれかに記載の表示装置において、
前記固定表示部は、前記反射型表示部が重ねられた領域に、電気的接続部材が通る接続用開口部を有すること、
を特徴とする表示装置。
【請求項５】
請求項１から請求項４までのいずれかに記載の表示装置において、
前記反射型表示部に電力を供給する電池部を備えること、
を特徴とする表示装置。
【請求項６】
請求項１から請求項５までのいずれかに記載の表示装置において、
ＯＮ／ＯＦＦの信号を発生する信号発生部と、
前記信号発生部による信号ＯＮ又は信号ＯＦＦの回数を計数する計数部と、
前記計数部の計数結果を前記反射型表示部に表示する制御を行なう表示制御部と、
を備えることを特徴とする表示装置。
【請求項７】
請求項６に記載の表示装置において、
前記信号発生部は、人が手で押す、手を触れる、手をかざす、の少なくとも１つの動作に応じてＯＮ／ＯＦＦの信号を発生すること、
を備えることを特徴とする表示装置。
【請求項８】
請求項６に記載の表示装置において、
前記信号発生部は、人が通過したことを非接触で自動検知して、ＯＮ／ＯＦＦの信号を発生すること、
を備えることを特徴とする表示装置。
【発明の詳細な説明】
【技術分野】
【０００１】
本発明は、表示装置に関するものである。
【背景技術】
【０００２】
従来から、液晶表示を用いて広告等の表示を行なうことが行われている。例えば、特許文献１には、手描用ＰＯＰ板と電子画像表示面とを組み合わせたＰＯＰ広告装置が開示されている。
【０００３】
しかし、液晶表示と印刷等による表示とを組み合わせると、両者の表示形態の違いから、一体感がなく、別々の表示が並んでいるだけにしか見えなかった。
【先行技術文献】
【特許文献】
【０００４】
【特許文献１】実用新案登録第３１８７６９５号公報
【発明の概要】
【発明が解決しようとする課題】
【０００５】
本発明の課題は、電子画像表示と印刷等による固定表示との一体感を高めた表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、表示内容が固定された固定表示を含む固定表示部（２０、１２０）と、前記固定表示部（２０、１２０）の一部に配置されており、表示内容を変更可能であって、可視光を反射することにより視認可能な表示を行なう反射型表示部（１１、１１１）と、を備える表示装置（１、２）である。
【０００８】
第２の発明は、第１の発明に記載の表示装置（１、２）において、前記反射型表示部（１１、１１１）は、通電されていない状態で表示を継続できるメモリー性を備えていること、を特徴とする表示装置（１、２）である。
【０００９】
第３の発明は、第１の発明又は第２の発明に記載の表示装置（１）において、前記固定表示部（２０）の一部を開口した開口部（２１）を有し、前記反射型表示部（１１、１１１）は、前記固定表示部（２０、１２０）の前記開口部と重なる位置に配置されること、を特徴とする表示装置（１、２）である。
【００１０】
第４の発明は、第１の発明から第３の発明までのいずれかに記載の表示装置（２）において、前記固定表示部（１２０）は、前記反射型表示部（１１１）が重ねられた領域に、電気的接続部材が通る接続用開口部（１２０ｂ）を有すること、を特徴とする表示装置（１、２）である。
【００１１】
第５の発明は、第１の発明から第４の発明までのいずれかに記載の表示装置（１、２）において、前記反射型表示部（１１、１１１）に電力を供給する電池部を備えること、を特徴とする表示装置（１、２）である。
【００１２】
第６の発明は、第１の発明から第５の発明までのいずれかに記載の表示装置（２）において、ＯＮ／ＯＦＦの信号を発生する信号発生部（１１６）と、前記信号発生部による信号ＯＮ又は信号ＯＦＦの回数を計数する計数部（１１１ｃ）と、前記計数部の計数結果を前記反射型表示部（１１１）に表示する制御を行なう表示制御部（１１１ｂ）と、を備えることを特徴とする表示装置（２）である。
【００１３】
第７の発明は、第６の発明に記載の表示装置（２）において、前記信号発生部（１１６）は、人が手で押す、手を触れる、手をかざす、の少なくとも１つの動作に応じてＯＮ／ＯＦＦの信号を発生すること、を備えることを特徴とする表示装置（２）である。
【００１４】
第８の発明は、第６の発明に記載の表示装置（２）において、前記信号発生部（１１６）は、人が通過したことを非接触で自動検知して、ＯＮ／ＯＦＦの信号を発生すること、を備えることを特徴とする表示装置（２）である。
【発明の効果】
【００１５】
本発明によれば、電子画像表示と印刷等による固定表示との一体感を高めた表示装置を提供することができる。
【図面の簡単な説明】
【００１６】
【図１】本発明による表示装置１の第１実施形態を示す図である。
【図２】図１中の矢印Ａ−Ａの位置で表示装置１を切断した断面図である。
【図３】本体部１０と固定表示部２０とを分けて示した図である。
【図４】第２実施形態の表示装置２を示す図である。
【図５】第２実施形態の表示装置２の構成を説明するブロック図である。
【発明を実施するための形態】
【００１７】
以下、本発明を実施するための最良の形態について図面等を参照して説明する。
【００１８】
（第１実施形態）
図１は、本発明による表示装置１の第１実施形態を示す図である。
図２は、図１中の矢印Ａ−Ａの位置で表示装置１を切断した断面図である。
図３は、本体部１０と固定表示部２０とを分けて示した図である。
なお、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１９】
本実施形態の表示装置１は、本体部１０と、固定表示部２０とを備えている。
本体部１０は、反射型表示部１１と、保持部１２とを備えている。
【００２０】
反射型表示部１１は、電子ペーパーと呼ばれる表示装置であり、特許第６２４８３９８号で用いている電子ペーパーと同様に、ツイストボールを利用している。図示しないが、電子ペーパーは、透明電極基材と対向電極基材との間に配置されてツイストボールを有しており、電極の印加によって、例えば白色と黒色の２相構成のツイストボールの向きを変えることにより表示の切り替えを行なう。よって、反射型表示部１１は、外来光を反射することにより視認可能な表示を行なうこととなり、自らが発光する必要もない。よって、反射型表示部１１は、表示を変化する際に電圧を印加して表示媒体を変化させた後は、電圧を印加しなくても（通電を行なわなくても）、その表示を行うことができるメモリー性を備えている。
【００２１】
本実施形態の反射型表示部１１は、セグメントタイプの数字表示を例示したが、マトリックス状の透明電極基材及び対向電極基材を用いることにより、さらに複雑な表示を行なうようにしてもよい。
反射型表示部１１は、略直方体形状に構成されており、その内部には、不図示の電池部が設けられている。また、反射型表示部１１は、不図示の制御部を備えており、この制御部は、カレンダー機能を有しており、日付が変わる毎に表示される日数を１日ずつ減らして表示の書き換えを行なう。
【００２２】
保持部１２は、略板状に構成されており、全体としてみると額縁のような形態となっており、反射型表示部１１と後述の固定表示部２０とを保持する。
保持部１２は、その中央部に反射型表示部１１を保持している。図示した例では、保持部１２の中央部に開口した取付部を設け、この開口部に反射型表示部１１を挿入する形態として、反射型表示部１１の表示面の位置が保持部１２の表面と略同一面となるようにしている。保持部１２が反射型表示部１１を保持する具体的な構成は、例えば、反射型表示部１１を保持部１２に接着してもよいし、ビス等を利用して固定してもよく、また、取付部を開口せずに反射型表示部１１を保持部１２に接着又は固定してもよく、どのような構成でもよい。
【００２３】
保持部の外周の４辺には、クリップ部１３が設けられている。クリップ部１３は、ヒンジ部１４を介して保持部１２の各辺に取り付けられており、保持部１２の各辺に沿った軸を支点として開閉可能である。図１及び図２では、クリップ部１３が閉じた状態を示し、図３では、クリップ部１３が開いた状態を示している。また、クリップ部１３は、不図示の付勢部材によって閉じた状態を保持可能である。
【００２４】
固定表示部２０は、図柄、文字、記号の少なくとも１つを含む表示内容が固定された固定表示をその表面に有している。例えば、固定表示は、印刷により構成することができるが、手書きであってもよいし、印刷と手書きが混在していても良い。図示した例では、「２０１９年  スポーツ大会」、「あと」、「日」、「私たちは、選手のみなさまを応援しています。」といった文字を印刷表示している。固定表示部２０は、例えば、紙により構成することができるが、樹脂板や金属板により構成してもよい。
【００２５】
固定表示部２０は、その中央部に反射型表示部１１の表示面を見えるようにする開口部２１を有している。
固定表示部２０は、クリップ部１３を開いた状態で保持部１２に取り付けられ、クリップ部１３を閉じることにより、保持部１２によって保持されるため、固定表示部２０は保持部１２に着脱容易に保持されることになる。そして、固定表示部２０が保持部１２に保持された状態では、開口部２１と反射型表示部１１とが重なり、開口部２１を通して反射型表示部１１の表示面が観察可能な状態となっている。
【００２６】
固定表示部２０は、印刷等により固定表示を表示しているので、可視光の反射光によって表示を観察可能とするものである。これと同様に、反射型表示部１１の表示も、可視光の反射光によって観察可能とするものである。したがって、反射型表示部１１が固定表示部２０の中に埋め込まれた本実施形態の表示装置１による表示は、固定表示と、表示内容を変更可能な反射型表示部１１の表示とを組み合わせても、一方が他方より見えづらいようなこともなく、違和感がなく、一体感が高いものとなる。
なお、反射型表示部１１の表示を観察可能とする可視光は、反射型表示部１１が発する光ではなく、反射型表示部１１の外から反射型表示部１１へ到達する可視光（外来光）である。
【００２７】
また、固定表示部２０は、印刷等により安価に作成可能であるので、大型の表示を実現しやすい。さらに、反射型表示部１１は、表示を切り替えるときにしか電力を必要としないので、小型の電池部で長期間使用可能である。よって、本実施形態の表示装置１は、外部電源を供給できない場所であっても長期間掲示したまま放置しておくことも可能である。その上、必要な情報の書き換えも自動的に行なうことが可能である。
【００２８】
以上説明したように、第１実施形態の表示装置１によれば、反射型表示部１１と固定表示部２０とを組み合わせたこので、電子画像表示と印刷等による固定表示との一体感を高めた表示装置とすることができる。
【００２９】
（第２実施形態）
図４は、第２実施形態の表示装置２を示す図である。
図５は、第２実施形態の表示装置２の構成を説明するブロック図である。
第２実施形態の表示装置２は、入力部１１６を備えている点と、反射型表示部１１１と固定表示部１２０との取り付け方が異なる他は、第１実施形態の表示装置１と同様な形態をしている。よって、前述した第１実施形態と同様の機能を果たす部分には、重複する説明を適宜省略する。
【００３０】
第２実施形態の表示装置２は、反射型表示部１１１と、固定表示部１２０と、入力部１１６とを備えている。
反射型表示部１１１は、基本的な構成は第１実施形態の反射型表示部１１と同様であり、電子ペーパー１１１ａと、制御部１１１ｂとを備えている。反射型表示部１１１は、接続コード１１５を用いて固定表示部１２０の表面に吊り下げられて配置されている。これにより、反射型表示部１１１は、固定表示部１２０に描かれたキャラクターが首からさげているかのように観察される。また、接続コード１１５は、反射型表示部１１１と入力部１１６との電気的な接続をする導線を含んでいる。
【００３１】
固定表示部１２０は、少なくとも子供の背丈程度の高さのある大型の板状の部材により構成されており、本実施形態では、描かれたキャラクターの外形に沿った外形形状に構成されている。固定表示部１２０は、その背面側に支持部１２０ａを有しており、自立可能に構成されている。
固定表示部１２０には、接続用開口部１２０ｂがキャラクターの図柄の首付近に２箇所設けられており、この接続用開口部１２０ｂを接続コード１１５が貫通している。固定表示部１２０の裏面側では、図示しないが接続コード１１５が固定表示部１２０に固定されるか、又は、束ねられている。また、接続コード１１５から入力部１１６への電気的な導通を行なう導線が接続されている。
【００３２】
入力部１１６は、人が操作する押しボタンであって、その操作によってＯＮ／ＯＦＦの信号を発生する信号発生部として機能する。なお、本実施形態では、押しボタンを利用した入力部１１６の構成として信号発生部を構成したが、手がかざされたことを検出する非接触式のボタン（センサ）であってもよいし、人の通過を非接触で自動検知してＯＮ／ＯＦＦの信号を発生するように構成してもよい。
【００３３】
入力部１１６によって押しボタンのＯＮ信号が発生すると、計数部１１１ｃがその回数をカウントして、表示制御部１１１ｂは、カウント値を電子ペーパー１１１ａに表示する。
これにより、例えば、キャラクターの図柄が異なる表示装置２を複数並べて配置して人気投票を行なうことができる。このような場合に、キャラクターと反射型表示部１１１と入力部１１６の組合せを１つの固定表示部１２０に並べて配置してもよい。また、入場者数のカウントに利用してもよい。
【００３４】
以上説明したように、第２実施形態によれば、固定表示部１２０の上に反射型表示部１１１を重ねて配置する形態としたので、より簡単に表示装置を構成することができる。また、入力部１１６を備えたので、カウント数の表示を行なうことができる。
【００３５】
（変形形態）
以上説明した実施形態に限定されることなく、種々の変形や変更が可能であって、それらも本発明の範囲内である。
【００３６】
（１）各実施形態において、表示装置が表示する内容が、日数のカウント数、入力数のカウント数である例を挙げて説明した。これに限らず、表示装置が表示する内容はどのような内容であってもよい。例えば、広告、注意喚起、誘導、気象情報、地震情報、時間等を表示してもよいし、図柄を表示してもよい。
【００３７】
（２）各実施形態において、固定表示部は、平面状に構成されている例を挙げて説明した。これに限らず、例えば、より立体的な構成としてもよい。
【００３８】
なお、各実施形態及び変形形態は、適宜組み合わせて用いることもできるが、詳細な説明は省略する。また、本発明は以上説明した各実施形態によって限定されることはない。
【符号の説明】
【００３９】
１，２    表示装置
１０      本体部
１１      反射型表示部
１２      保持部
１３      クリップ部
１４      ヒンジ部
２０      固定表示部
２１      開口部
１１１    反射型表示部
１１１ａ  電子ペーパー
１１１ｂ  制御部
１１５    接続コード
１１６    入力部
１２０    固定表示部
１２０ａ  支持部
１２０ｂ  貫通孔
【図１】
2020098222.tif 000003
【図２】
2020098222.tif 000004
【図３】
2020098222.tif 000005
【図４】
2020098222.tif 000006
【図５】
2020098222.tif 000007